(57)【特許請求の範囲】
【請求項１】
天井空間(Ａ)に配置されるフィルタユニット(１１)の両側に、上下方向へ伸縮するテレスコープ式の伸縮機構(２６)(２６)を設けて、各伸縮機構(２６)の上部を固定側部材(２)に固定すると共に、同上の伸縮機構(２６)の下部を上記フィルタユニット(１１)に連結し、そのフィルタユニット(１１)に作用する重力と釣り合うように上記フィルタユニット(１１)を上向きに引っ張るバランス手段(３８)を設け、天井部材(５)に形成した点検開口(４３)を覆うカバー板(４７)を上記フィルタユニット(１１)に連結し、上記フィルタユニット(１１)を、上記の点検開口(４３)を通過させて昇降可能に構成し、
前記の点検開口(４３)を設けた開口枠(４４)を前記の天井部材(５)に装着し、前記カバー板(４７)を上記の開口枠(４４)によって受け止め可能に構成した、ことを特徴とする昇降式エアフィルタ装置。
【請求項２】
請求項１に記載した昇降式エアフィルタ装置において、
前記の伸縮機構(２６)は、前記の固定側部材(２)に固定した固定レール(３０)と、その固定レール(３０)に順に内嵌した少なくとも二つの可動レール(３１)(３２)とを備え、これらの可動レール(３１)(３２)のうちの最も内側の可動レール(３２)の下部に前記フィルタユニット(１１)の下寄り部を連結した、ことを特徴とする昇降式エアフィルタ装置。
【請求項３】
請求項１又は２の昇降式エアフィルタ装置において、
前記の点検開口(４３)を設けた開口枠(４４)を前記フィルタユニット(１１)の固定側部材(２)に固定した、ことを特徴とする昇降式エアフィルタ装置。
【請求項４】
請求項１から３のいずれかに記載した昇降式エアフィルタ装置において、
前記バランス手段(３８)は、ロープ(４０)の一端を前記フィルタユニット(１１)に連結すると共に上記ロープ(４０)の他端をバネ力によって引っ張ってバランサケース(３９)に収納可能に構成した、ことを特徴とする昇降式エアフィルタ装置。
【請求項５】
請求項１から４のいずれかに記載した昇降式エアフィルタ装置を設けた全熱交換器であって、
その全熱交換器(１)の固定側部材であるケーシング(２)内に前記フィルタユニット(１１)を昇降自在に設けて、そのフィルタユニット(１１)の着脱式フィルタエレメント(１７)(１８)を上記の全熱交換器(１)の還気路(１４)と外気路(１５)とに介在させた、ことを特徴とする全熱交換器。
【発明の詳細な説明】
【０００１】
【発明の属する技術分野】
この発明は、昇降式エアフィルタ装置およびその装置を設けた全熱交換器に関する。
【０００２】
【従来の技術】
天井埋め込み型の全熱交換器や空調機などに設けた着脱式エアフィルタについては、従来では、メンテナンス担当者が天井に設けた点検開口から天井空間に手を入れて、上記エアフィルタを横方向へ取り外して清掃を行なうものがある。
【０００３】
【発明が解決しようとする課題】
上記の従来のメンテナンス作業は、高所作業であるうえ狭く限られた天井空間内の作業であるため、メンテナンスに手間がかかるという問題があった。本発明の第１の目的は、メンテナンスが容易なエアフィルタ装置を提供することにある。また、本発明の第２の目的は、そのメンテナンス容易なフィルタ装置を設けた全熱交換器を提供することにある。
【０００４】
【課題を解決するための手段】
上記の目的を達成するため、請求項１の発明は、例えば、図１から図７に示すように、昇降式エアフィルタ装置を次のように構成した。天井空間Ａに配置されるフィルタユニット１１の両側に、上下方向へ伸縮するテレスコープ式の伸縮機構２６・２６を設けて、各伸縮機構２６の上部を固定側部材２に固定すると共に、同上の伸縮機構２６の下部を上記フィルタユニット１１に連結し、そのフィルタユニット１１に作用する重力と釣り合うように上記フィルタユニット１１を上向きに引っ張るバランス手段３８を設け、天井部材５に形成した点検開口４３を覆うカバー板４７を上記フィルタユニット１１に連結し、上記フィルタユニット１１を、上記の点検開口４３を通過させて昇降可能に構成し、前記の点検開口(４３)を設けた開口枠(４４)を前記の天井部材(５)に装着し、前記カバー板(４７)を上記の開口枠(４４)によって受け止め可能に構成したものである。
【０００５】
上記の請求項１の発明は、例えば、図２と図４に示すように、次のように作用する。フィルタユニット１１に装着したフィルタエレメント１７・１８を清掃するときには、メンテナンス担当者は、図２の収納状態のフィルタユニット１１を図４のメンテナンス状態へ切換える。即ち、メンテナンス担当者は、まず、室内Ｂからフック棒等の操作具によって前記カバー板４７を引き下げる。すると、その引き下げ力が上記カバー板４７から上記フィルタユニット１１に作用して、バランス手段３８と釣り合った状態のフィルタユニット１１が両側のテレスコープ式の伸縮機構２６・２６と共に点検開口４３を通過して円滑に下降していき、そのフィルタユニット１１が図４の状態へ切換わる。
【０００６】
上記の図４のメンテナンス状態で、上記フィルタユニット１１から前記フィルタエレメント１７・１８を取り外して清掃し、その後、その清掃済みのフィルタエレメント１７・１８を上記フィルタユニット１１に取り付ける。次いで、前記カバー板４７を手で持って又は前記の操作具等を利用して押し上げて、上記フィルタユニット１１を前記の点検開口４３を通過させて上昇させ、そのフィルタユニット１１を図２の収納状態へ切換えるのである。
【０００７】
請求項１の発明は、上記のように構成され作用することから、次の効果を奏する。フィルタエレメントの着脱を室内で行えるので、高所の天井空間で着脱するものと比べてメンテナンスに手間がかからない。しかも、上記フィルタユニットは、バランス手段によって負荷を低減できるので、軽い力で容易に昇降できる。また、上記フィルタユニット及び前記カバー板の昇降をテレスコープ式の伸縮機構によってガイドできるので、その昇降が円滑かつ正確になり、上記カバー板を点検開口に正確に位置決めできる。そのうえ、天井部材の点検開口を覆う上記カバー板をフィルタユニットに連結したので、そのカバー板の開閉操作とフィルタユニットの昇降操作とを同時に行えることになり、その点からもメンテナンスに手間がかからない。
【０００８】
この発明においては、請求項２から４の各発明に示すように、上記の昇降式エアフィルタ装置のように構成することが好ましい。
【０００９】
請求項２の発明は、前記の伸縮機構２６を、前記の固定側部材２に固定した固定レール３０と、その固定レール３０に順に内嵌した少なくとも二つの可動レール３１・３２とによって構成し、これらの可動レール３１・３２のうちの最も内側の可動レール３２の下部に前記フィルタユニット１１の下寄り部を連結したものである。上記の請求項２の発明は、伸縮機構をコンパクトに造ることと大きな伸縮長さを確保することとを両立できるという効果を奏する。
【００１０】
請求項３の発明は、前記の点検開口４３を設けた開口枠４４を前記フィルタユニット１１の固定側部材２に固定したものである。上記の請求項３の発明は、比較的に堅牢な固定側部材に開口枠を固定したので、その開口枠にカバー板を押し上げたときの衝撃が天井部材へ伝達されにくくなり、その天井部材を長期間にわたって良好な状態に保てる。
【００１１】
請求項４の発明に示すように、前記バランス手段３８を、ロープ４０の一端を前記フィルタユニット１１に連結すると共に上記ロープ４０の他端をバネ力によって引っ張ってバランサケース３９に収納可能に構成した場合には、そのバランサ手段をコンパクトかつ軽量に構成できるという効果を奏する。
【００１２】
また、請求項５の発明は、上記の各請求項に係る昇降式エアフィルタ装置を設けた全熱交換器であって、その全熱交換器１の固定側部材であるケーシング２内に前記フィルタユニット１１を昇降自在に設けて、そのフィルタユニット１１の着脱式フィルタエレメント１７・１８を上記の全熱交換器１の還気路１４と外気路１５とに介在させたものである。上記の請求項５の発明は、還気用と外気用との異種のフィルタエレメントを装着した大型フィルタユニットを搭載した全熱交換器についても、前述の各請求項の発明に記載した効果と同様の効果を奏する。これにより、メンテナンスの容易な全熱交換器を提供できる。
【００１３】
【発明の実施の形態】
以下、本発明の一実施形態を図１から図７によって説明する。この実施形態では、全熱交換器に昇降式エアフィルタ装置を付設したものを例示してある。まず、図１から図４によって上記の全熱交換器１の全体構成を説明する。図１は、その全熱交換器１の平面図である。図２は、上記の図１中のII−II線矢視に相当する立面図である。図３は、同上の図１中のIII−III線矢視に相当する右側面図である。図４は、上記エアフィルタ装置のフィルタユニットの下降状態を示し、上記の図２に対応する図である。
【００１４】
天井空間Ａ内に配置した全熱交換器１のケーシング２は、複数の吊り金具３によって天井スラブ４から吊り下げられている。符号Ｂは室内で、符号５は天井部材である。上記ケーシング２内には、主として図１に示すように、熱交本体９と昇降式エアフィルタ装置１０のフィルタユニット１１とダンパ装置１２と還気ファン１３とが配置される。上記のフィルタユニット１１のフレーム１１ａには、還気路１４に介在される還気用フィルタエレメント１７と、外気路１５に介在される外気用フィルタエレメント１８とを、着脱可能に取り付けてある。
【００１５】
そして、還気口Ｒから吸入された還気は、図１中の一点鎖線矢印に示すように、上記の還気用フィルタエレメント１７と上記の熱交本体９と上記のダンパ装置１２と上記の還気ファン１３とを経て排気口Ｅへ排出される。また、外気口Ｏから吸入された外気は、図１中の二点鎖線矢印で示すように、前記の外気用フィルタエレメント１８を経て上記の熱交本体９を通過し、ここを通過する間に前記の還気と熱交換を行い、その後、給気路２０を通って給気口Ｓへ供給されるようになっている。
【００１６】
前記のケーシング２には、上記の昇降式エアフィルタ装置１０のハウジング１０ａが固定され、そのハウジング１０ａに対して前記フィルタユニット１１の前記フレーム１１ａが昇降可能に支持される。即ち、上記フレーム１１ａの長手方向の両側には、上下方向へ伸縮するテレスコープ式の伸縮機構２６・２６が設けられる。ここでは、その伸縮機構２６は、固定レール３０と、その固定レール３０に内嵌した第１可動レール３１と、その第１可動レール３１に内嵌した第２可動レール３２とを備える。これらレール３０・３１・３２は角パイプによって構成してある。上記の固定レール３０が、上記ハウジング１０ａを介して、固定側部材である前記のケーシング２に固定される。また、上記の第２可動レール３２の下部には、前記フィルタユニット１１の下部に設けたベース板３３を連結してある。
【００１７】
上記の伸縮機構２６の構造をさらに具体的に説明すると、図５の縦断面視の模式図に示すように、上記の固定レール３０と第１可動レール３１との間に複数のガイドローラ３４を介在させると共に、その第１可動レール３１と第２可動レール３２との間にも複数のガイドローラ３４を介在させている。符号３５はクッション用ゴムで、符号３６はロックボルトである。
【００１８】
また、上記フィルタユニット１１に作用する重力と釣り合うように同上フィルタユニット１１を上向きに引っ張るバランス手段３８が設けられる。そのバランス手段３８は、前記ケーシング２の上面に固定したバランサケース３９と、そのケース３９内に収容されるロープ４０とを備える。そのロープ４０の一端が定滑車４１(図３参照)を経て上記フィルタユニット１１のフレーム１１ａの上部に連結される。また、上記ロープ４０の他端が、上記ケース３９内に設けたバランスバネ(図示せず)のバネ力によって同上ケース３９内へ引っ張られている。
【００１９】
また、前記の天井部材５には、平面視で長方形の点検開口４３を設けた開口枠４４が嵌着される。その開口枠４４は、複数のタイロッド４５を介して、固定側部材である前記ケーシング２に固定される。上記の点検開口４３を下側から覆うカバー板４７が設けられ、そのカバー板４７が複数の連結ロッド４８を介して前記フィルタユニット１１の前記ベース板３３に連結される。上記カバー板４７の外周縁部の上面と上記の開口枠４４との間には、クッシヨン用ゴム５０を介在させてある。
【００２０】
室内Ｂのメンテナンス担当者は、上記カバー板４７の下面に設けたロックハンドルをフック棒で操作することにより(いずれも図示せず)、上記カバー板４７を前記の開口枠４４に対してロックおよびロック解除できるようになっている。そして、ロック解除した上記カバー板４７を上記フック棒によって引き下げることにより、前記フィルタユニット１１を下降できるようになっている。
【００２１】
前記のフィルタユニット１１の側部は、図６の横断面視の模式図に示すように、前記の固定レール３０に装着したリード式ガスケット５３によって気密状態が保たれる。より詳しくいえば、前記の還気用フィルタエレメント１７の前後の圧力差によって、上記リード式ガスケット５３の先端寄り部分が上記フィルタユニット１１のフレーム１１ａに気密状に接当するのである。ここでは図示してないが、前記の外気用フィルタエレメント１８の前後の圧力差によっても上記リード式ガスケット５３が同上のフレーム１１ａに気密状に接当する。さらに、図７に示すように、上記フィルタユニット１１の前記のベース板３３は、中空ガスケット５６を介して前記ハウジング１０ａの下面板５７に気密状に接当可能になっている。
【００２２】
メンテナンス担当者は、前記フィルタエレメント１７・１８を清掃するときには、図２の収納状態のフィルタユニット１１を図４のメンテナンス状態へ切換える。即ち、まず、室内Ｂから前記フック棒によって前記カバー板４７の前記ロックハンドルをロック解除状態へ切換える。次いで、そのフック棒によって上記カバー板４７を引き下げる。すると、その引き下げ力が、前記の複数の連結ロッド４８を介して前記フィルタユニット１１に作用するので、前記の固定レール３０に対して前記の第１レール３１及び前記の第２レール３２が下降し、上記フィルタユニット１１が前記の点検開口４３を通過して下降していく。引き続いて、下降したカバー板４７を手で持って引き下げることにより、上記の第１レール３１に対して上記の第２レール３２が下降していき、上記フィルタユニット１１が図４の状態へ切換わる。
【００２３】
上記の図４のメンテナンス状態で、前記のフィルタエレメント１７・１８を前記のフレーム１１ａから取り外して清掃し、その後、その清掃済みのフィルタエレメント１７・１８を上記のフレーム１１ａに取り付ける。次いで、前記カバー板４７を手で持って押し上げ、引き続いて、そのカバー板４７を前記フック棒によって押し上げて、上記フィルタユニット１１を前記の点検開口４３を通過させて上昇させ、そのフィルタユニット１１を図２の収納状態へ切換える。その後、上記フック棒によって上記カバー板４７の下面の前記ロックハンドルをロック状態へ切換えて、そのカバー板４７を前記の開口枠４４にロックするのである。
【００２４】
上記の実施形態は次のように変更可能である。前記の各テレスコープ式の伸縮機構２６の固定レール３０内に設けた可動レール３１・３２は、例示した二本に代えて、三本以上であってもよく、さらには一本であってもよい。また、上記の固定レール３０と可動レール３１・３２は、角パイプを利用したものに代えて、断面視でコ字状などの別の断面形状を備えたものであってもよい。上記の伸縮機構２６の下部は、前記フィルタユニット１１の下部に連結することに代えて、そのフィルタユニット１１の上部に連結してもよい。
【００２５】
上記の開口枠４４又は天井部材５に対して前記カバー板４７をロックおよびロック解除する機構は、必須のものではなく、省略可能である。この場合、上記のカバー板４７を前記バランサ手段３８のバネ力などを利用して上記の開口枠４４又は天井部材５に押圧保持することが考えられる。前記の昇降式フィルタ装置１０は、例示した全熱交換器１に設けることに代えて、ファンコイルユニット等の空調機や電気集塵機などに設けてもよい。さらには、その昇降式フィルタ装置１０は、独立機器として設けて、上記の空調機などにダクト等で接続したものであってもよい。
【図面の簡単な説明】
【図１】  本発明の一実施形態を示し、昇降式エアフィルタ装置を設けた全熱交換器の平面図である。
【図２】  上記の図１中のII−II線矢視に相当する立面図である。
【図３】  同上の図１中のIII−III線矢視に相当する右側面図である。
【図４】  前記エアフィルタ装置のフィルタユニットの下降状態を示し、上記の図２に対応する図である。
【図５】  上記フィルタユニットの伸縮機構の縦断面視の模式図である。
【図６】  前記エアフィルタ装置の横断面視の模式図である。
【図７】  前記フィルタユニットの下部の立面視の模式図である。
【符号の説明】
１…全熱交換器、２…固定側部材(ケーシング)、５…天井部材、１１…フィルタユニット、１４…還気路、１５…外気路、１７…還気用フィルタエレメント、１８…外気用フィルタエレメント、２６…伸縮機構、３０…固定レール、３１…第１可動レール、３２…第２可動レール、３８…バランス手段、３９…バランサケース、４０…ロープ、４３…点検開口、４４…開口枠、４７…カバー板、Ａ…天井空間。
【図１】
0004621321.tif 000002
【図２】
0004621321.tif 000003
【図３】
0004621321.tif 000004
【図４】
0004621321.tif 000005
【図５】
0004621321.tif 000006
【図６】
0004621321.tif 000007
【図７】
0004621321.tif 000008